(57)【要約】【課題】水漬けされた状態で販売される果菜類に新鮮感を持たせ且つ見栄えよく陳列して販売することを可能にする水漬け果菜類包装容器、及び、水漬け果菜類包装袋受台を提供することを課題とする。【解決手段】水漬け果菜類２０を水と共に収納する透明又は半透明の錐形状の防水樹脂製袋１と、果菜類と水とを収納して封止した前記袋１を逆さ状態に保持する受台２とから成り、前記受台２は、その受け面３の中心部に前記袋１の封止部７を係止する手段８を有していることを特徴とする。【選択図】図３
2008094407.tif 000002
【特許請求の範囲】
【請求項１】
水漬け果菜類を水と共に収納する透明又は半透明の錐形状の防水樹脂製袋と、果菜類と水とを収納して封止した前記袋を逆さ状態に保持する受台とから成り、前記受台は、その受け面の中心部に前記袋の封止部を係止する手段を有していることを特徴とする水漬け果菜類包装容器。
【請求項２】
前記受台は、筒状体と、前記筒状体内に嵌装される受板とから成り、前記受板の上面が前記受け面となる請求項１に記載の水漬け果菜類包装容器。
【請求項３】
前記受台は、１枚の板材から組立てられる請求項１に記載の水漬け果菜類包装容器。
【請求項４】
前記受け面の前記封止部係止手段は、前記受け面の中心に形成される係止孔である請求項１に記載の水漬け果菜類包装容器。
【請求項５】
前記受け面の外周縁から前記係止孔に達するスリットが形成された請求項４に記載の水漬け果菜類包装容器。
【請求項６】
前記係止孔からラジアル方向に適宜長さ延びる切込みが多数形成された請求項４に記載の水漬け果菜類包装容器。
【請求項７】
水漬け果菜類を水と共に収納した透明又は半透明の防水樹脂製袋を逆さ状態に保持する受台であって、前記受台は、その受け面の中心部に前記袋の封止部を係止する手段を有していることを特徴とする水漬け果菜類包装袋受台。
【請求項８】
前記受け面の前記封止部係止手段は、前記受け面の中心に形成される係止孔である請求項７に記載の水漬け果菜類包装袋受台。
【請求項９】
前記受台は、筒状体と、前記筒状体内に嵌装される受板とから成り、前記受板の上面が前記受け面となる請求項７に記載の水漬け果菜類包装袋受台。
【請求項１０】
前記受台は、１枚の板材から組立てられる請求項７に記載の水漬け果菜類包装袋受台。
【請求項１１】
前記受け面の外周縁から前記係止孔に達するスリットが形成された請求項８に記載の水漬け果菜類包装袋受台。
【請求項１２】
前記係止孔からラジアル方向に適宜長さ延びる切込みが多数形成された請求項８に記載の水漬け果菜類包装袋受台。
【発明の詳細な説明】
【技術分野】
【０００１】
本発明は、水漬け果菜類包装容器、より詳細には、水漬けされた状態で販売される茄子、大根、白菜、セロリ等の漬物やミニトマト等の野菜、あるいは、角切りされた果実等を、新鮮感を持たせ且つ見栄えよく陳列して販売することを可能にする水漬け果菜類包装容器及び袋受台に関するものである。
【背景技術】
【０００２】
漬物は、調味料を含んだ水と共に袋詰めされて販売されることが少なくない。このように水漬け状態にて袋詰めされた商品は、一般に、店頭の棚等に寝かせて、重ね置くか、横並べにした状態で陳列されている。
【０００３】
このような陳列態様の場合、当該水漬け果菜類自体から発生する気体が当該果菜にまとわり付き、それ自体が傷むおそれがある。そのために、水に品質保存液等を含ませる処置が採られている。
【０００４】
しかし、このような品質保存液等を使用する保存方法を用いたものは、天然・自然食を求める需要者に敬遠される。
【０００５】
また、水漬け果菜類を販売する際、上記のように店頭の棚等に寝かせて重ね置いた状態に陳列すると、見栄えが悪いだけでなく、商品を傷めるおそれがあり、また、袋の外表面に付着した水滴が貯まり、特に下段に位置する袋を持ち上げた際に水が滴り落ちて不快な思いをすることが少なくない。
【０００６】
【特許文献１】特開２００５−１３８８６７号公報
【特許文献２】特開２００６−２４０７２９号公報
【特許文献３】実開平５−７２７４１号公報
【発明の開示】
【発明が解決しようとする課題】
【０００７】
本発明は、上記問題を解決するためになされたものであって、水漬けされた状態で販売される果菜類に新鮮感を持たせ且つ見栄えよく陳列して販売することを可能にする水漬け果菜類包装容器、及び、水漬け果菜類包装袋受台を提供することを課題とする。
【課題を解決するための手段】
【０００８】
上記課題を解決するための請求項１に記載の発明は、水漬け果菜類を水と共に収納する透明又は半透明の錐形状の防水樹脂製袋と、果菜類と水とを収納して封止した前記袋を逆さ状態に保持する受台とから成り、前記受台は、その受け面の中心部に前記袋の封止部を係止する手段を有していることを特徴とする水漬け果菜類包装容器である。
【０００９】
上記課題を解決するための請求項７に記載の発明は、水漬け果菜類を水と共に収納した透明又は半透明の防水樹脂製袋を逆さ状態に保持する受台であって、前記受台は、その受け面の中心部に前記袋の封止部を係止する手段を有していることを特徴とする水漬け果菜類包装袋受台である。
【００１０】
一態様において前記受台は、筒状体と、前記筒状体内に嵌装される受板とから成り、前記受板の上面が前記受け面となる。また、別の態様において前記受台は、１枚の板材から組立てられる。また、前記受け面の外周縁から前記係止孔に達するスリットが形成されることがあり、あるいは、前記係止孔からラジアル方向に適宜長さ延びる切込みが複数形成されることがある。
【発明の効果】
【００１１】
本発明に係る水漬け果菜類包装容器は、果菜類を水と共に収納する透明又は半透明の錐形状の防水樹脂製袋と、果菜類と水とを収納して封止した前記袋を逆さ状態に保持する受台とから成るため、陳列時に、袋内残存空気及び果菜類から出る気体は袋の頂部に貯まって果菜類に触れないので、果菜類の鮮度が保たれ、また、店頭に陳列した際に果菜類が立体的に浮かび上がって見栄えがよくなり、新鮮感が増す効果がある。
【００１２】
また、本発明に係る水漬け果菜類包装袋支持用受台は、果菜類と水とを収納して封止した前記袋を逆さ状態に保持すものでるため、商品陳列時に、袋内残存空気及び果菜類から出る気体は袋の頂部に貯まって果菜類に触れないので、果菜類の鮮度が保たれ、また、店頭に陳列した際に果菜類が立体的に浮かび上がって見栄えがよくなり、新鮮感が増す効果がある。
【発明を実施するための最良の形態】
【００１３】
本発明の実施の形態につき、添付図面に依拠して説明する。本発明に係る水漬け果菜類包装容器は、果菜２０その他の水漬けされる物品を調味料を含む水と共に封入するための袋１と、果菜２０を水漬け状態にて封入した袋１を保持する受台２とから成り、受台２は、その受け面３の中心部に、袋１の封止部７を係止する手段を有している。
【００１４】
袋１は、中身を透視可能にするために透明又は半透明の防水樹脂製とされるが、その素材は従来用いられているものをそのまま採用することができる。袋１は、円錐形等の錐形状とされる。これは、後述するように、陳列時において見栄えをよくすると共に、錐形の頂部１ａに空気が集まりやすくするためである。
【００１５】
受台２は、プラスチック、金属又は防水性厚紙製であって、一実施形態における受台２は、筒状体４と、筒状体４内に嵌装される受板５とから成る。
【００１６】
受台２内の受け面３は、水と共に果菜２０を入れた袋１の開口部をすぼめ、輪ゴム１１、粘着テープ、ヒモ等を巻き付けることによって形成される封止部７を係止保持する役割を果たすものである。図示した例では、受板５は、筒状体４の底部に形成された環状底４ａ上に載る脚６を複数備え、受け面３の中心に係止孔８が形成され、必要に応じ、外縁から係止孔８にまで延びるスリット９が形成される。スリット９は、袋１の封止部７が通り抜け得る幅とされ、係止孔８の直径は、スリット９の幅よりも大となるように設定される。
【００１７】
このスリット９を設ける代わりに、係止孔８からラジアル方向に適宜長さ延びる切込みを多数形成することもあり（図６参照）、あるいは、係止孔８は単なる円孔の場合もある。また、受け面３に、適宜形状の水抜き孔１０が形成されることもある。
【００１８】
この実施形態の場合は、袋１内に適宜果菜２０と共に水を供給し、水が十分に供給された時点で開口部を集束し、輪ゴム１１等を用いて封止する。そして、上下を逆にし、封止部７を、外方からスリット９に通して係止孔８まで移動させる。その状態で袋１を引上げると、封止部７より下側の袋１の開口端縁部分が拡がって係止孔８の端縁に引掛かるため、受板５は袋１から離れない。なお、この封止部７の係合操作は、袋１を横向きにして、あるいは、正立状態で行なってもよいこともちろんである。
【００１９】
かくして袋１を、受板５を付けたまま筒状体４上に置くと、受板５が筒状体４内に嵌まり込み、袋１もその自重により、その下部（逆さになっているため、実際は袋１の上部）が、自由に変形して受台２内に収まる（図１、図２参照）。その際、受板５には脚８があるために、その下にスペース１２が形成されることになり、袋１の封止部７及びその先部分がスペース１２内に収まる（図２参照）。袋１の外表面を伝って滴が垂れ落ちることがあるが、その場合の滴は、水抜き孔１０から下に抜けるので、袋１から受板５にかかる部分が水浸しになることはない。
【００２０】
なお、受台２は、多くの場合袋１と共に販売されることになるので、販売のために陳列するに当っては、筒状体４の外側面から袋１にかかる部分に粘着テープを巻き付けることとしてもよい。かくして、袋１と受台２の一体感が増すことになる。
【００２１】
図４に示す実施形態においては、受板５は、脚の無い円板状とされ、脚に代わるものとして、筒状体４の内側面に複数の段部１３が形成されている。この場合は、上げ底３が段部１３上に載せ置かれることになる点が異なるだけで、他の構成・作用は上記実施形態と同じである。なお、図示した段部１３は分割されているが、一連にされることもある。
【００２２】
上述した実施形態は、いずれも受け面３と筒状体４とが別体のものであるが、受板５を筒状体４の内側面に固定する構成とすることもできる。その場合の受板５は、例えば、上記スリット９を拡げて扇形開口１４とする（図５参照）。かくして、受け面３と筒状体４の内側面との間に十分に広い挿入スペースができ、そこから封止部７の挿入が可能となる。
【００２３】
この実施形態の場合は、受台２を横にした状態で、封止部７を扇形開口１４に通した後横にずらし、係止孔８に引掛けるようにする。
【００２４】
図６及び図７に示す実施形態は、一枚の板材（紙製又はプラスチック製）２１から組立てられるものである。板材２１は、受け面形成部２２と２分された筒状体形成部２３、２４とから成る。受け面形成部２２の中心部には係止孔８が開口される、係止孔８からラジアル方向に適宜長さ延びる切込み２５が多数（図では８本）入れられている。
【００２５】
受け面形成部２２は、一部筒状体形成部２３、２４とオーバーラップし、そのオーバーラップ部分は、一部に連結部２７を残して切込み２６が入れられ、筒状体形成部２３、２４から離れるようにされる。また、筒状体形成部２３、２４には、それぞれ相互に対応するように、差込片２８、２８ａと差込孔２９、２９ａとが形成される。
【００２６】
この板材２１を組み立てるには、受け面形成部２２を水平にした状態で筒状体形成部２３、２４を、それぞれ連結部２７から下方に折曲して丸め、差込片２８を差込孔２９ａに近付けて差込み、また、差込片２８ａを差込孔２９に近付けて差込む（図６参照）。なお、差込み後に差込片２８、２８ａが差込孔２９、２９ａから簡単に抜けないようにするため、差込片２８、２８ａの筒状体形成部２３、２４に対するつなぎ目部分に係止用くい込み３０が設けられる。
【００２７】
この実施形態の場合は、袋１の封止部７を係止孔８上に置いた後、裏側から封止部７の端部を強く引張る。すると、係止孔８から多数の切込み２５が形成されているために係止孔８が若干開き、封止部７の通過を許容する。その後、係止孔８は縮まって封止部７を係止する。
【００２８】
また、組立時において、連結部２７の両側の筒状体形成部２３、２４によって支持壁３１が形成される（図６参照）。受台２上に置かれた袋１は、この支持壁３１に周囲を支持され、受け面３から脱落することが確実に防止される。
【００２９】
以上いずれの実施形態においても、陳列時に果菜２０を収納した袋１は、逆さ状態にて受台２に支持される。そして、袋１は錐形であって、その錐形頂部１ａは上端に位置するため、袋１内の残存空気及び果菜２０から生ずる気体は、上端の頂部１ａに寄せ集められて溜まり、果菜２０には触れないことになる。従って、気体が触れることによって果菜２０が傷むことは皆無となる。
【００３０】
また、袋１は、積み重ねられないために潰れることはなく、十分に膨らむので、果菜２０を立体的に透視できることになり、購買者に商品の新鮮感を感受させることができる。
【００３１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３２】
【図１】本発明の一実施形態を示す部分断面斜視図である。
【図２】本発明の一実施形態の要部を示す縦断面図である。
【図３】本発明の一実施形態の要部を示す分解斜視図である。
【図４】本発明の他の実施形態の要部分解斜視図である。
【図５】本発明の更に他の実施形態の要部分解斜視図である。
【図６】本発明の更に他の組立状態図である。
【図７】図６に示す実施形態の展開図である。
【符号の説明】
【００３３】
１    袋
２    受台
３    受け面
４    筒状体
５    受板
５ａ  環状底
６    脚
７    封止部
８    係止孔
９    切込み
１０    水抜き孔
１１    輪ゴム
１２    スペース
１３    段部
１４    扇形開口
２０    果菜
【図１】
2008094407.tif 000003
【図２】
2008094407.tif 000004
【図３】
2008094407.tif 000005
【図４】
2008094407.tif 000006
【図５】
2008094407.tif 000007
【図６】
2008094407.tif 000008
【図７】
2008094407.tif 000009